(57)【要約】【課題】フィラメントがアンカーから外れにくい外囲器回転型のＸ線管装置を提供する。【解決手段】平板フィラメント６の、モリブデンアンカー５の上端部に設けられたスリットに挿入される部分の一部には、くびれ部６Ａが形成されている。このため、外囲器回転型のＸ線管装置において、このくびれ部６Ａの存在により、モリブデンアンカー５に圧着固定された平板フィラメント６は、スリットに挿入される部分にくびれ部６Ａが形成されていない従来の平板フィラメント４に比べて圧着固定される強度が増加し、モリブデンアンカー５からはずれにくくなる。【選択図】          図１
0003139909.tif 000002
【実用新案登録請求の範囲】
【請求項１】
電子ビームを発生させる陰極と、その陰極からの電子ビームの衝突によりＸ線を発生させる陽極と、前記陰極および前記陽極を内部に収容する外囲器と、その外囲器と共に冷却用流体を内部に収容する容器とを備え、前記冷却用流体中で前記外囲器が回転することによって陽極が回転する構造の外囲器回転型のＸ線管装置であって、前記陰極は、スリットが形成された２本のアンカーに対して、フィラメントの各端をそれぞれ前記スリットに挿入し圧着固定されており、前記フィラメントの各端部で前記スリットに挿入される部位にくびれ部が形成されていることを特徴とする外囲器回転型のＸ線管装置。
【請求項２】
前記フィラメントは平板フィラメントである請求項１記載の外囲器回転型のＸ線管装置。
【請求項３】
前記くびれ部は、前記平板フィラメントの両側面に形成されている請求項２記載の外囲器回転型のＸ線管装置。
【考案の詳細な説明】
【技術分野】
【０００１】
本考案は冷却用流体中で前記外囲器が回転することによって陽極が回転する構造の外囲器回転型のＸ線管装置に関する。
【背景技術】
【０００２】
図２に示すように、本実施例に係る外囲器回転型のＸ線管装置１００は、真空排気された外囲器１０２を備えている。この外囲器１０２内に、高温に加熱され熱電子を放出するフィラメント１３と、このフィラメント１３を溝の中に取り付けた集束電極１４とを収容し、この２つで陰極１５を構成する。
【０００３】
陰極１５と対向位置の外囲器１０２の端面には陽極１６を配設している。陰極１５および陽極１６には、スリップリング機構（図示省略）により陰極側の回転軸１７および陽極側の回転軸１８を介して、高電圧発生源（図示省略）から高電圧を印加している。加熱されたフィラメント１３から電子ビーム１９を発生させる。電子ビーム１９は高電圧が作る電界により陽極１６に向けて加速する。電子ビーム１９は、外囲器１０２外に設けられた偏向コイル２０により偏向され、陽極１６のターゲットディスク傾斜部２１に衝突し、焦点２２を形成し、Ｘ線２３を発生させる。Ｘ線２３は外囲器１０２の放射口２４から放射される。なお、偏向コイル２０は、外囲器１０２の外部に配設された後述する絶縁容器２５の外部に設けられ、外囲器１０２と絶縁容器２５とは互いに近接している。回転軸１７、１８は、この発明における回転軸に相当し、陽極１６は、この発明における陽極に相当する。
【０００４】
Ｘ線管のフィラメントとしては通常タングステン線をコイル状に巻いたものが使用され、その両端部はモリブデン製のアンカーに固定されている。そしてその固定方法はタングステンが高融点金属であるため溶接を用いることができないので、モリブデン製のアンカーの端部にスリットを設け、タングステン線の両端をスリットに挿入して圧着する方法等が用いられている（例えば特許文献１参照）。
【０００５】
具体的には例えば図３（ａ）に示すようにフィラメントコイル１はその両端部が、陰極部品（図示しない）により保持される２本のモリブデンアンカー２にそれぞれ固定されて保持されるが、その固定方法は図３（ｂ）に示すようにモリブデンアンカー２の上端部に適当な深さで設けられたスリット３に、フィラメントコイル１の端部をほぼ９０度折り曲げた状態で挿入した後、モリブデンアンカー２の上端部を専用の工具を用いて矢印Ａの方向に押しつぶすことによっている。その結果図３（ｃ）に示すようにフィラメントコイル１の両端部はモリブデンアンカー２に圧着され固定される。そして上述のようにフィラメントコイル１の端部が折り曲げられた状態でモリブデンアンカー２に圧着されていることにより、端部が折り曲げられず直線状態のままで圧着される場合に比べて固定強度が大きくなり、Ｘ線管の使用中に繰り返されるフィラメントコイル１の加熱による熱サイクルによりフィラメントコイル１の端部がモリブデンアンカー２からはずれるという不具合の発生を防止している。
【０００６】
一方フィラメントコイル１の代わりに、例えば図４に示すように電子放出源が平板である平板フィラメント４を有するＸ線管もある。この場合も図３（ｂ）に示すのと同様の方法で平板フィラメント４はモリブデンアンカー５に圧着されて固定されるが、平板フィラメント４は図３に示すフィラメントコイル１のように端部を折り曲げることが困難なので、図４に破線で示すように直線状態のままで圧着される。
【特許文献１】特開平８−２４１６８５号公報
【考案の開示】
【考案が解決しようとする課題】
【０００７】
フィラメントはその両端がそれぞれ折り曲げられることなく直線状態のままでモリブデンアンカーに設けられたスリットに挿入され、圧着固定されるので、外囲器と共にフィラメントが回転する外囲器回転型のＸ線管装置においては、Ｘ線管の使用中に繰り返されるフィラメントの加熱による熱サイクルに加え特に外囲器の回転に伴う遠心力の作用により、フィラメントの端部が圧着固定されたモリブデンアンカーからはずれやすくなる。
そこで、本考案は、フィラメントがアンカーから外れにくい外囲器回転型のＸ線管装置を提供する。
【課題を解決するための手段】
【０００８】
請求項１記載の考案は、電子ビームを発生させる陰極と、その陰極からの電子ビームの衝突によりＸ線を発生させる陽極と、前記陰極および前記陽極を内部に収容する外囲器と、その外囲器と共に冷却用流体を内部に収容する容器とを備え、前記冷却用流体中で前記外囲器が回転することによって陽極が回転する構造の外囲器回転型のＸ線管装置であって、前記陰極は、スリットが形成された２本のアンカーに対して、フィラメントの各端をそれぞれ前記スリットに挿入し圧着固定されており、前記フィラメントの各端部で前記スリットに挿入される部位にくびれ部が形成されていることを特徴とする。
【０００９】
請求項１記載の考案によれば、圧着固定される部分にくびれ部が形成されているため、圧着力が飛躍的に向上し、外囲器回転型のＸ線管装置において、Ｘ線管の使用中に繰り返されるフィラメントの加熱による熱サイクルに加え、遠心力に起因するフィラメントのアンカーからの脱離を回避することが可能となる。
【００１０】
請求項２記載の考案は、フィラメントが平板フィラメントであることを特徴とする。
【００１１】
請求項２記載の考案によれば、圧着固定が容易であるがアンカーから離脱しやすい平板フィラメントを用いた場合であっても、外囲器回転型のＸ線管装置において、フィラメントのアンカーからの脱離を回避することが可能となる。このため、請求項２の考案によれば、平板フィラメントを用いることができるので圧着固定が容易になるという効果を生じる。
【００１２】
請求項３記載の考案は、くびれ部が平板フィラメントの両側面に形成されていることを特徴とする。
【００１３】
請求項３記載の考案によれば、平板フィラメントの両側面に形成されているので、圧着力をより大きくすることができ、より高回転の外囲器回転型のＸ線管装置においても使用できるという効果を生じる。
【考案の効果】
【００１４】
本考案によりフィラメントの両端部のモリブデンアンカーに設けられたスリットに挿入される範囲内にくびれ部を形成し、このくびれ部を含むフィラメントの端部をモリブデンアンカーに圧着固定することにより、フィラメントのモリブデンアンカーへの固定強度を大きくすることができるので、外囲器回転型のＸ線管装置において、Ｘ線管の使用中に繰り返されるフィラメントの加熱による熱サイクルや遠心力に起因するフィラメントのアンカーからの脱離を回避することが可能となる。
【考案を実施するための最良の形態】
【００１５】
本考案の実施例を図１〜図３に基づいて説明する。なお、外囲器回転型のＸ線管装置の概略構成については、従来技術で示した図４の構成と同様なので説明を省略する。
図１（ａ）に示すような電子放出源が平板である平板フィラメント６を有するＸ線管において、平板フィラメント６は、図３（ｂ）に示すフィラメントコイル１のモリブデンアンカー２への固定方法と同じ方法でモリブデンアンカー５に圧着固定されている。すなわち陰極部品（図示しない）により保持される２本のモリブデンアンカー５のそれぞれの上端部に適当な深さで設けられたスリット（図示しない）に、平板フィラメント６の両端をそれぞれ挿入した後、専用の工具を用いてモリブデンアンカー５の上端部を押しつぶすことにより、平板フィラメント６は２本のモリブデンアンカー５に固定され保持される。
【００１６】
ただし本考案で用いられる平板フィラメント６の両端の、モリブデンアンカー５の上端部に設けられたスリットに挿入される部分にはくびれ部６Ａが形成されている。このくびれ部６Ａにおいて平板フィラメント６は部分的にその幅が狭くなっているため、モリブデンアンカー５に圧着固定されるとき、図４に示すようなスリットに挿入される部分にくびれ部６Ａが形成されていない従来の平板フィラメント４に比べて固定される強度が増加するので、Ｘ線管の使用中に繰り返される平板フィラメント６の加熱による熱サイクルに加え特に外囲器の回転に伴う遠心力の作用により、平板フィラメント６の端部がモリブデンアンカー５からはずれやすいという欠点が解消される。
【００１７】
上記の実施例ではモリブデンアンカー５に設けられたスリットに挿入される部分の一部が両側から狭められてくびれ部６Ａが形成されていたが、図１（ｂ）に示すように片側のみが狭められてくびれ部６Ｂが形成されていても同様の効果が得られる。なお図１（ｂ）において図１（ａ）と同じ符号で示す部品は図１（ａ）と同じものなので説明は省略する。
【００１８】
上記の実施例で図１（ａ）に示すくびれ部６Ａ、または図１（ｂ）に示すくびれ部６ＢはＶ字形の直線的な形状として表現したが、部分的に幅が狭くなっていればその形状にこだわるものではない。なお本考案は透視撮影用のＸ線管のみならず一般のＸ線管にも適用可能である。
【産業上の利用可能性】
【００１９】
本考案は外囲器回転型のＸ線管装置に関する。
【図面の簡単な説明】
【００２０】
【図１】本考案の実施例を説明するための図である。
【図２】外囲器回転型のＸ線管装置の概略構成を示す図である。
【図３】従来のフィラメントの固定方法を説明するための図である。
【図４】従来の平板フィラメントの固定方法を説明するための図である。
【符号の説明】
【００２１】
１：フィラメントコイル
２：モリブデンアンカー
３：スリット
４：平板フィラメント
５：モリブデンアンカー
６：平板フィラメント
６Ａ：くびれ部
６Ｂ：くびれ部
１３：フィラメント
１４：集束電極
１５：陰極
１６：陽極
１７：回転軸
１８：回転軸
１９：電子ビーム
２０：偏向コイル
２１：ターゲットディスク傾斜部
２２：焦点
２３：Ｘ線
２４：放射口
２５：絶縁容器
１００：Ｘ線管装置
１０２：外囲器
【図１】
0003139909.tif 000003
【図２】
0003139909.tif 000004
【図３】
0003139909.tif 000005
【図４】
0003139909.tif 000006